(57)【特許請求の範囲】
【請求項１】
結束バンド取付穴を有し、当該結束バンド取付穴の底壁に、該底壁の下面に沿って配索されたワイヤハーネスを固定するための結束バンドを挿通する２つの貫通孔が前記ワイヤハーネスの両側に位置するよう設けられ、
前記ワイヤハーネスを固定する際に、
前記２つの貫通孔の一方に、前記底壁の下側から前記結束バンドの先端を挿通させ、前記底壁の上側に突き抜けた前記結束バンドの先端を、下向きにＵターンさせて、前記２つの貫通孔の他方に挿通させ、前記底壁の下側に突き抜けた前記結束バンドの先端を、前記ワイヤハーネスの下側で結束バンドの基端に設けた係止部に係止させることにより、前記ワイヤハーネスを前記底壁の下面に固定する電気接続箱であって、
前記２つの貫通孔の間の前記底壁の上面を、該２つの貫通孔を含む前記底壁に略垂直な方向に凸に湾曲した凸曲面として形成することで、前記２つの貫通孔のうち少なくとも前記他方の上側の入口の内側の側壁面を、前記結束バンドの先端を前記２つの貫通孔のうち少なくとも前記他方へと誘い込むガイド斜面として構成し、
前記２つの貫通孔のうち少なくとも前記他方の上側の入口の外側の側壁面を、前記結束バンドの先端を前記２つの貫通孔のうち少なくとも前記他方へと誘い込む傾斜面で構成したことを特徴とする電気接続箱。
【請求項２】
前記２つの貫通孔の間の前記底壁の下面を、該２つの貫通孔を含む前記底壁に略垂直な方向に凹に湾曲した凹曲面として形成したことを特徴とする請求項１に記載した電気接続箱。
【請求項３】
前記２つの貫通孔の間の前記底壁を、該２つの貫通孔を含む前記底壁に略垂直な方向の上側に凸に湾曲した円弧壁として形成することで、前記２つの貫通孔の間の前記底壁の上面を凸の円弧面、そして前記２つの貫通孔の間の前記底壁の下面を凹の円弧面となしたことを特徴とする請求項２に記載した電気接続箱。
【発明の詳細な説明】
【技術分野】
【０００１】
本発明は、例えば自動車等の車両に用いられる例えばリレー・ボックス、ヒューズ・ボックス、電子制御ユニット・ボックス、等といった電気接続箱（即ち、エレクトリック・ジャンクション・ブロック）に係り、特に、ワイヤハーネスを結束バンドで電気接続箱本体に固定するようにした電気接続箱に関する。
【背景技術】
【０００２】
ワイヤハーネスを電気接続箱に固定するにあたり、結束バンドで固定することがよく行なわれている（特許文献１参照）。例えば、電気接続箱にコネクタを装着する場合、コネクタからはワイヤハーネスが引き出されているので、そのワイヤハーネスを結束バンドで電気接続箱に固定することが行なわれている。この場合、結束バンドにクリップ等の係合手段を一体あるいは別体に設けて、係合手段により、電気接続箱に結束バンドを固定するようにしたものもあるが、結束バンドを、電気接続箱の壁に設けた２つの貫通孔に順番に通すことで電気接続箱に固定し、その上で結束バンドを閉じることでワイヤハーネスを固定するようにしたものもある。
【０００３】
後者の場合は、まず、一方の貫通孔に壁の手前側から結束バンドの先端を通し、反対側に突き抜けた結束バンドの先端をＵターンさせて他方の貫通孔に通し、手前側に突き抜けた結束バンドの先端を、結束バンドの基端に設けた係止部に係止させて、結束バンドを閉じることにより、ワイヤハーネスを固定するようにしている。
【０００４】
【特許文献１】特開平９−５１６２４号公報
【発明の開示】
【発明が解決しようとする課題】
【０００５】
ところで、電気接続箱の穴の底壁に前述の結束バンドを通すための２つの貫通孔を設け、底壁の下面に沿って配索したワイヤハーネスを下側から結束バンドで固定するようにした場合、前記の穴の深さが大きくなると、結束バンドをＵターンさせて貫通孔に通すのが非常に困難になり、手探りでの作業を余儀なくされるため、作業性が悪いという問題がある。
【０００６】
本発明は、上述した事情に鑑みてなされたものであり、その目的は、手探りでの作業であっても、結束バンドの先端を貫通孔に容易に通せるようにし、ワイヤハーネスの固定作業の容易化を図れるようにした電気接続箱を提供することにある。
【課題を解決するための手段】
【０００７】
前述した目的を達成するために、本発明に係る電気接続箱は、下記（１）〜（３）を特徴としている。
（１）  結束バンド取付穴を有し、当該結束バンド取付穴の底壁に、該底壁の下面に沿って配索されたワイヤハーネスを固定するための結束バンドを挿通する２つの貫通孔が前記ワイヤハーネスの両側に位置するよう設けられ、
前記ワイヤハーネスを固定する際に、
前記２つの貫通孔の一方に、前記底壁の下側から前記結束バンドの先端を挿通させ、前記底壁の上側に突き抜けた前記結束バンドの先端を、下向きにＵターンさせて、前記２つの貫通孔の他方に挿通させ、前記底壁の下側に突き抜けた前記結束バンドの先端を、前記ワイヤハーネスの下側で結束バンドの基端に設けた係止部に係止させることにより、前記ワイヤハーネスを前記底壁の下面に固定する電気接続箱であって、
前記２つの貫通孔の間の前記底壁の上面を、該２つの貫通孔を含む前記底壁に略垂直な方向に凸に湾曲した凸曲面として形成することで、前記２つの貫通孔のうち少なくとも前記他方の上側の入口の内側の側壁面を、前記結束バンドの先端を前記２つの貫通孔のうち少なくとも前記他方へと誘い込むガイド斜面として構成し、
前記２つの貫通孔のうち少なくとも前記他方の上側の入口の外側の側壁面を、前記結束バンドの先端を前記２つの貫通孔のうち少なくとも前記他方へと誘い込む傾斜面で構成したこと。
（２）  上記（１）の構成の電気接続箱において、
前記２つの貫通孔の間の前記底壁の下面を、該２つの貫通孔を含む前記底壁に略垂直な方向に凹に湾曲した凹曲面として形成したこと。
（３）  上記（２）の構成の電気接続箱において、
前記２つの貫通孔の間の前記底壁を、該２つの貫通孔を含む前記底壁に略垂直な方向の上側に凸に湾曲した円弧壁として形成することで、前記２つの貫通孔の間の前記底壁の上面を凸の円弧面、そして前記２つの貫通孔の間の前記底壁の下面を凹の円弧面となしたこと。
【０００８】
上記（１）の構成の電気接続箱によれば、次の効果を奏することができる。即ち、結束バンド取付穴の底壁の下面に沿って配索したワイヤハーネスを底壁に固定する場合、まず、２つの貫通孔の一方に底壁の下側から結束バンドの先端を挿通させた後、底壁の上側に突き抜けた結束バンドの先端を下向きにＵターンさせて、２つの貫通孔の他方に挿通させるのであるが、その際、２つの貫通孔の間の底壁の上面が凸曲面になっており、それにより、２つの貫通孔のうち少なくとも他方の上側の入口の内側の側壁面がガイド斜面として構成されているので、そのガイド斜面によるガイド作用により、Ｕターンさせた結束バンドの先端を、手探りの作業であっても、容易に２つの貫通孔の他方に挿通させることができる。尚、２つの貫通孔の他方に限らず、２つの貫通孔それぞれの上側の入口の内側の側壁面をほぼ同条件で構成すれば、どちらの貫通孔に先に結束バンドを通しても、同じ効果を奏することができることは言うまでも無い。
また、２つの貫通孔のうち少なくとも他方の上側の入口の外側の側壁面を、結束バンドの先端を２つの貫通孔のうち少なくとも他方へと誘い込む傾斜面で構成してあるので、結束バンドの先端を２つの貫通孔のうち少なくとも他方に、より挿通しやすくすることができる。尚、この場合も２つの貫通孔の他方に限らず、２つの貫通孔それぞれの上側の入口の外側の側壁面をほぼ同条件で構成すれば、どちらの貫通孔に先に結束バンドを通しても、同じ効果を奏することができることは言うまでも無い。
上記（２）の構成の電気接続箱によれば、２つの貫通孔の間の底壁の下面を凹曲面で構成しているので、凹曲面に納まるようにワイヤハーネスを配索することができ、ワイヤハーネスを横ずれさせずに安定的に固定することができる。
上記（３）の構成の電気接続箱によれば、２つの貫通孔の間の底壁を円弧壁として形成することで、上面の凸曲面と下面の凹曲面を構成したので、構成が簡単で設計が容易にできる上、電気接続箱を樹脂成形加工する際の成形性もよくなる。
【発明の効果】
【０００９】
本発明によれば、手探りでの作業であっても、結束バンドの先端を貫通孔に容易に通せるようにすることができ、ワイヤハーネスの固定作業の容易化を図ることができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１は実施形態の電気接続箱の上面図、図２は図１のＩＩ−ＩＩ矢視断面図、図３は電気接続箱の下面図、図４はワイヤハーネスを結束バンドで固定した状態を示す電気接続箱の下面図、そして図５は結束バンドの貫通孔への差し込み要領を示す図２と同様の図である。尚、本明細書では、位置や方向等を定義し易くするために、仮に電気接続箱の上面とその反対側の電気接続箱の下面を設定しているが、例えば、図１を実施形態の電気接続箱の下面図、そして図３を電気接続箱の上面図といったように、逆に設定してもよいことは言うまでも無い。
【００１３】
図１、図２、および図３に示すように、この電気接続箱１０は、高さ方向の下方位置に底壁１１を有しており、その底壁１１を共通の底壁として、コネクタ等の部品を収容するための収容穴９と結束バンド取付穴１２とが電気接続箱１０には並んで設けられている。コネクタは高さの大きいものであるため、収容穴９と結束バンド取付穴１２の深さも深くなっている。
【００１４】
前記底壁１１の下面には、図４に示すように、収容穴９に収容されたコネクタ７０ａ、７０ｂ、７０ｃの下部から引き出されたワイヤハーネスＷａ、Ｗｂ、Ｗｃを、底壁１１の下面に沿って配索するための配索経路１８が確保されている。
【００１５】
また、結束バンド取付穴１２の底壁１１には、該底壁１１の下面に沿って配索されたワイヤハーネスＷａ、Ｗｂ、Ｗｃを固定するための結束バンド５０用の固定部２０が設けられている。結束バンド５０用の固定部２０には、まず結束バンド５０を挿通するための２つの貫通孔２６、２７がワイヤハーネスＷａ、Ｗｂ、Ｗｃの配索経路１８の両側に位置するようして設けられている。
【００１６】
また、２つの貫通孔２６、２７の間の底壁１１の部分が、該２つの貫通孔２６、２７を含む前記底壁１１に略垂直な方向の上側に凸に湾曲したアーチ状の（換言すれば、太鼓橋状の）円弧壁２１として形成されることで、２つの貫通孔２６、２７の間の底壁１１の部分の上面が凸の円弧面（凸曲面）２１ａ、下面が凹の円弧面（凹曲面）２１ｂとして構成されている。そして、それにより、各貫通孔２６、２７の上側の入口２６ａ、２７ａの内側の側壁面が、結束バンド５０のバンド５３の先端５４を貫通孔２６、２７へと誘い込むガイド斜面となっている。また、各貫通孔２６、２７の上側の入口２６ａ、２７ａの外側の側壁面も、結束バンド５０のバンド５３の先端５４を貫通孔２６、２７へと誘い込む傾斜面２８，２９で構成されている。
【００１７】
次に作用を説明する。結束バンド取付穴１２の底壁１１の下面の配索経路１８に沿って配索したワイヤハーネスＷａ、Ｗｂ、Ｗｃを、底壁１１に固定する場合は、まず、図５に示すように、一方の貫通孔２６に、底壁１１の下側から結束バンド５０のバンド５３の先端５４を挿通させた後、底壁１１の上側に突き抜けたバンド５３の先端５４を、下向きにＵターンさせて、他方の貫通孔２７に挿通させる。
【００１８】
その際、２つの貫通孔２６、２７の間の底壁１１の部分を円弧壁２１として形成したことで、上面を凸の円弧面２１ａで構成しており、それにより、貫通孔２６、２７の上側の入口２６ａ、２７ａの内側の側壁面を、ガイド斜面として構成しているので、そのガイド斜面によるガイド作用により、Ｕターンさせたバンド５３の先端５４を、手探りの作業であっても、容易に他方の貫通孔２７に挿通させることができる。この場合、２つの貫通孔２６、２７の上側の入口２６ａ、２７ａはほぼ同条件で構成してあるので、どちらの貫通孔２６、２７に先に結束バンド５０を通しても、同じ効果を奏することができる。
【００１９】
そして、Ｕターン後に底壁１１の下側に突き抜けたバンド５３の先端５４を、ワイヤハーネスＷａ、Ｗｂ、Ｗｃの下側で、バンド５３の基端に設けた係止部５１の係止孔５２に通して係止させることにより、ワイヤハーネスＷａ、Ｗｂ、Ｗｃを底壁１１の下面に固定することができる。
【００２０】
この場合、各貫通孔２６、２７の上側の入口２６ａ、２７ａの外側の側壁面も傾斜面２８、２９で構成してあるので、結束バンド５０のバンド５３の先端５４をより挿通しやすくすることができる。
【００２１】
また、２つの貫通孔２６、２７の間の底壁１１（円弧壁２１）の下面を凹曲面（凹の円弧面２１ｂ）で構成してあるので、凹曲面に納まるようにワイヤハーネスＷａ、Ｗｂ、Ｗｃを配索することができ、ワイヤハーネスＷａ、Ｗｂ、Ｗｃを横ずれさせずに安定的に固定することができる。
【００２２】
また、本実施形態の電気接続箱１０では、２つの貫通孔２６、２７の間の底壁１１の部分を円弧壁２１として形成することで、上面の凸曲面（凸の円弧面２１ａ）と下面の凹曲面（凹の円弧面２１ｂ）を構成しているので、構成が簡単で設計が容易にできる上、電気接続箱１０を樹脂成形加工する際の成形性もよくなる。
【００２３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２４】
例えば、図６に示す他の実施形態の電気接続箱のように、円弧壁２１と貫通孔２６、２７を挟んで対向する反対側の傾斜面２８、２９（図２）は省略することができる。
【００２５】
また、上記実施形態では、２つの貫通孔２６、２７の間の底壁１１の部分を円弧壁２１として形成しているが、下面側を凹曲面でなく、平面としてもよい。
【００２６】
また、２つの貫通孔２６、２７の間の底壁１１の部分の上面の凸曲面は、なだらかな曲面で構成してあればよく、必ずしも円弧面とする必要はない。
【図面の簡単な説明】
【００２７】
【図１】本発明の実施形態の電気接続箱の上面図である。
【図２】図１のＩＩ−ＩＩ矢視断面図である。
【図３】図１の電気接続箱の下面図である。
【図４】ワイヤハーネスを結束バンドで固定した状態を示す電気接続箱の下面図である。
【図５】結束バンドの貫通孔への差し込み要領を示す図２と同様の図である。
【図６】他の実施形態の電気接続箱における図２と同様の図である。
【符号の説明】
【００２８】
１０：電気接続箱
１１：底壁
１２：結束バンド取付穴
２１：円弧壁（２つの貫通孔の間の底壁）
２１ａ：凸の円弧面（凸曲面）
２１ｂ：凹の円弧面（凹曲面）
２６：貫通孔
２６ａ：上側の入口
２７：貫通孔
２７ａ：上側の入口
２８，２９：傾斜面
５０：結束バンド
５１：基端係止部
５４：バンドの先端
Ｗａ，Ｗｂ，Ｗｃ：ワイヤハーネス
【図１】
0005110688.tif 000002
【図２】
0005110688.tif 000003
【図３】
0005110688.tif 000004
【図４】
0005110688.tif 000005
【図５】
0005110688.tif 000006
【図６】
0005110688.tif 000007